(57)【要約】【課題】可動棚と格納ボックスの底面との間を物品収納に利用することができる昇降式収納棚を提供する。【解決手段】可動棚７の下端部の前面寄りには横棒状のハンドル２０が取り付けられている。このハンドル２０の後方領域には延設収納部２１が設けられており、延設収納部２１は前面が開口し、背面は閉鎖されている。延設収納部２１は可動棚７が格納ボックス３に格納された状態において格納ボックス３の底面２３の近傍に位置する。延設収納部２１の上側の領域には収納部２５、２７が設けられている。延設収納部２１に物品Ｂを入れて収納することができ、従来において利用されていなかった可動棚と格納ボックスの底面との間の空間を有効に利用することができる。【選択図】        図１
2008194104.tif 000002
【特許請求の範囲】
【請求項１】
前面に開口部を有する格納ボックスと、前記格納ボックスに格納される可動棚と、前記可動棚を前記開口から出し入れする昇降手段とを具備する昇降式収納棚であって、前記可動棚には、可動棚が格納ボックスに格納された状態において格納ボックスの底面近傍に位置する延設収納部が設けられていることを特徴とする昇降式収納棚。
【請求項２】
請求項１に記載した昇降式収納棚において、可動棚の下端部の前面寄りには、可動棚を昇降させる際に掴むハンドルが備えられており、延設収納部は前記ハンドルの後方領域に備えられていることを特徴とする昇降式収納棚。
【請求項３】
請求項１または２の昇降式収納棚において、昇降手段は格納ボックス内の左右両端部に配置された平行リンク機構によって構成され、前記平行リンク機構を構成するリンク部材の基端部側は格納ボックス側に回動自在に軸支されて、且つ先端部側は可動棚側に回動自在に軸支されており、前記リンク部材の基端部がアクチュエータの出入動作する駆動軸に回動自在に連結され、且つ前記アクチュエータは格納ボックス側に支持されていることを特徴とする昇降式収納棚。
【請求項４】
請求項３に記載した昇降式収納棚において、アクチュエータは格納ボックス内の左右の端部の少なくとも一方側に配置されていることを特徴とする昇降式収納棚。
【請求項５】
請求項４に記載した昇降式収納棚において、格納ボックス内の左右両端部に配置された平行リンク機構を構成するアームは連結部材によって連結されていることを特徴とする昇降式収納棚。
【発明の詳細な説明】
【技術分野】
【０００１】
本発明はシステムキッチン等に組み込まれて比較的高所に備えられる昇降式収納棚に係り、詳しくは可動棚が格納ボックスの開口から出し入れでき、手前に動作しながら下降し、また後方へ動作しながら上昇する昇降式収納棚に関するものである。
【背景技術】
【０００２】
この種の昇降式収納棚には可動棚の下部に設けられたハンドルを握って、操作し、可動棚を手前に動作させながら下降させて格納ボックスから出し、また後方へ動作させながら上昇させて格納ボックスに格納する。
従って、特許文献１に記載された昇降キャビネット（昇降式収納棚）のキャビネット本体（可動棚）の下端部にハンドルが設けられており、このハンドルはキャビネット本体（格納ボックス）の底面と可動棚の下面との間の空間に突出している。
また、特許文献２の電動昇降吊り棚（昇降式収納棚）では、吊り棚本体（可動棚）を格納する外箱（格納ボックス）内にＡＣモータ等を備えている。ＡＣモータ等は外箱の底面上に備えられ、底板と吊り棚本体の下面との間の空間に配置される。
【０００３】
【特許文献１】特開２００５−３１２５１４号公報
【特許文献２】特開２００４−２４３９７号公報
【発明の開示】
【発明が解決しようとする課題】
【０００４】
上記特許文献１、２のいずれの昇降式収納棚でも、可動棚と格納ボックスの底面との間の空間が物品の収納に利用されておらず、いわばデッドスペースとなっている。
本発明は上記従来の問題点に着目して為されたものであり、可動棚と格納ボックスの底面との間を物品収納に利用することができる昇降式収納棚を提供することを、その目的とする。
【課題を解決するための手段】
【０００５】
本発明は上記課題を解決するためになされたものであり、請求項１の発明は、前面に開口部を有する格納ボックスと、前記格納ボックスに格納される可動棚と、前記可動棚を前記開口から出し入れする昇降手段とを具備する昇降式収納棚であって、前記可動棚には、可動棚が格納ボックスに格納された状態において格納ボックスの底面近傍に位置する延設収納部が設けられていることを特徴とする昇降式収納棚である。
【０００６】
請求項２の発明は、請求項１に記載した昇降式収納棚において、可動棚の下端部の前面寄りには、可動棚を昇降させる際に掴むハンドルが備えられており、延設収納部は前記ハンドルの後方領域に備えられていることを特徴とする昇降式収納棚である。
【０００７】
請求項３の発明は、請求項１または２の昇降式収納棚において、昇降手段は格納ボックス内の左右両端部に配置された平行リンク機構によって構成され、前記平行リンク機構を構成するリンク部材の基端部側は格納ボックス側に回動自在に軸支されて、且つ先端部側は可動棚側に回動自在に軸支されており、前記リンク部材の基端部がアクチュエータの出入動作する駆動軸に回動自在に連結され、且つ前記アクチュエータは格納ボックス側に支持されていることを特徴とする昇降式収納棚である。
【０００８】
請求項４の発明は、請求項３に記載した昇降式収納棚において、アクチュエータは格納ボックス内の左右の端部の少なくとも一方側に配置されていることを特徴とする昇降式収納棚である。
【０００９】
請求項５の発明は、請求項４に記載した昇降式収納棚において、格納ボックス内の左右両端部に配置された平行リンク機構を構成するアームは連結部材によって連結されていることを特徴とする昇降式収納棚である。
【発明の効果】
【００１０】
本発明の昇降式収納棚によれば、可動棚と格納ボックスの底面との間を物品収納に利用することができるようになる。
【発明を実施するための最良の形態】
【００１１】
本発明の実施の形態１に係る昇降式収納棚１を図１、図２にしたがって説明する。この昇降式収納棚１は図示しないシステムキッチンに組み込まれる。
符号３は格納ボックスを示し、この格納ボックス３は前面に開口５を有している。格納ボックス３には可動棚７が格納される。可動棚７は昇降手段として平行リンク機構９によって開口５から出し入れ自在に支持されている。
【００１２】
平行リンク機構９は、一対のアーム１１、１３と、アーム１１、１３の基端部を格納ボックス３側に回動自在に支持する軸１５と、アーム１１、１３の先端部を可動棚７に回動自在に支持する軸１７とによって構成されている。アーム１１、１３は左右一対設けられており、アーム１１、１３の基端部は格納ボックス３の内側面１９に軸支され、先端部は可動棚７の外側面に軸支されている。アーム１１どうしは連結部材１２によって連結されている。また、昇降式収納棚１にはコイルバネ等によって構成される図示しない付勢手段が備えられ、この付勢手段は可動棚７を上昇しながら回動する方向へ付勢している。
【００１３】
可動棚７の下端部の前面寄りには横棒状のハンドル２０が取り付けられている。このハンドル２０の後方領域には延設収納部２１が設けられており、延設収納部２１は前面が開口し、背面は閉鎖されている。延設収納部２１は可動棚７が格納ボックス３に格納された状態において格納ボックス３の底面２３の近傍に位置する。延設収納部２１の上側の領域には収納部２５、２７が設けられている。
延設収納部２１に物品Ｂを入れて収納することができ、従来において利用されていなかった可動棚と格納ボックスの底面との間の空間を有効に利用することができる。従って、デッドスペースを大幅に小さくすることが可能となる。
【００１４】
この昇降式収納棚１では、ハンドル２０を握って、操作し、可動棚７を手前に動作させながら下降させて格納ボックス３から出し、また後方へ動作させながら上昇させて格納ボックス３に入れて格納する。
【００１５】
本発明の実施の形態２に係る昇降式収納棚３１を図３から図７にしたがって説明する。この昇降式収納棚３１の可動棚３３は電動によって昇降するもので、図示しないシステムキッチンに組み込まれる。
この昇降式収納棚３１は実施の形態１に係る昇降式収納棚１と同様の構成部分を有するので、同様の構成部分においては実施の形態１で用いた符号を付して、その説明を省略する。
【００１６】
可動棚３３の下端部には延設収納部３５が設けられており、この延設収納部３５は前面が開口し、背面が閉鎖されている。なお、実施の形態１に係る昇降式収納棚１と異なり、ハンドルは設けられていない。
【００１７】
格納ボックス３内の右側の端部には固定ベース３７が底面２３に固定されて設けられている。固定ベース３７には支持ブロック３９が設けられており、この支持ブロック３９に右側の平行リンク機構５９のアーム５１、５３が回動自在に軸支されている。
また、固定ベース３７には支持フレーム４１が設けられており、この支持フレーム４１にはアクチュエータ４７が固定されている。このアクチュエータ４７には出入動作する駆動軸４５が設けられており、駆動軸４５は下方へ突出している。駆動軸４５には右側の平行リンク機構５９のアーム５１が軸４９を介して回動自在に連結されている。
格納ボックス３の左右の両端部に配置された平行リンク機構５９のアーム５１どうしは連結部材５２によって連結されている。
【００１８】
次に、この昇降式収納棚３１の動作について説明する。
図５に示すように可動棚３３が格納ボックス３に格納された状態では、アーム５１、５３はわずかに背面側に倒れた姿勢となっており、また駆動軸４５は最も突出した状態となっている。
図５に示す状態で、図示しない下降スイッチをオンにするとアクチュエータ４７が作動して駆動軸４５が引っ込む方向へ駆動する。これによりアーム５１、５３が軸１５を支点として図６に示すように時計回りの方向へ回動する。そして、可動棚３３が手前に動作しながら下降して、図７に示すようにアーム５１、５３がほぼ水平になり、可動棚３３が最も下降したところで停止する。この状態で可動棚３３に対し物品Ｂを出し入れする。
【００１９】
また、図７に示した状態から上昇スイッチをオンにするとアクチュエータ４７が作動して駆動軸４５が突出する方向へ駆動する。これによりアーム５１、５３が軸１５を支点として反時計回りの方向へ回動する。そして、可動棚３３が後方に動作しながら上昇して、図５に示したように可動棚３３は格納ボックス３に格納される。
【００２０】
このように昇降式収納棚３１では、可動棚３３を昇降動作させるためのリンク機構５９、更にアクチュエータ４７等を格納ボックス３内の左右の端部に配置したので、従来の昇降式収納棚のように可動棚を昇降動作させるための装置を可動棚と格納ボックスの底面との間の空間に配置する必要がない。その結果として延設収納部３５を、可動棚３３が格納ボックス３に格納された状態において格納ボックス３の底面２３の近傍に設けることができる。よって、従来では利用されていなかった可動棚と格納ボックスの底面との間の空間を有効に利用することができ、デッドスペースを大幅に小さくすることが可能となる。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、実施の形態１では横棒状のハンドル２０を備えたが、可動棚を昇降させる際に掴むことができる形状であれば、いかなる形状であってもよく、可動棚のいずれの箇所に設けてよい。また、平生は可動棚内に収容されており、掴む際に露出する構成にしてもよい。
【００２２】
上記実施の形態２において、アクチュエータ４７を格納ボックス内の右側の端部にのみ配置したが、本発明はこれに限定されず、格納ボックス内の左側の端部に配置してもよく、また左右両端部の両方にアクチュエータを備えて、２台のアクチュエータを同期して動作させる構成としてもよい。
また、本発明の昇降式収納棚はシステムキッチンに組み込んで用いるほか、格納ボックスを壁等に固定して単体で利用してもよい。更に玄関等に備えられる下駄箱、浴室に隣接する脱衣室、リビングルーム等の高所に備えられるキャビネット等にも適用することが可能である。
【産業上の利用可能性】
【００２３】
本発明の昇降式収納棚はキッチンに備えるほか、キッチン以外のリビングルーム、そのほか一般住宅だけでなく、工場内にも利用することが可能である。
【図面の簡単な説明】
【００２４】
【図１】本発明の実施の形態１に係る昇降式収納棚の可動棚を上昇させて格納状態にした斜視図である。
【図２】本発明の実施の形態１に係る昇降式収納棚の可動棚を下降させて露出状態にした斜視図である。
【図３】本発明の実施の形態２に係る昇降式収納棚の可動棚を上昇させて格納状態にした斜視図である。
【図４】本発明の実施の形態２に係る昇降式収納棚の可動棚を下降させて露出状態にした斜視図である。
【図５】本発明の実施の形態２に係る昇降式収納棚の可動棚の昇降動作を説明するための図である。
【図６】本発明の実施の形態２に係る昇降式収納棚の可動棚の昇降動作を説明するための図である
【図７】本発明の実施の形態２に係る昇降式収納棚の可動棚の昇降動作を説明するための図である
【符号の説明】
【００２５】
１、３１  昇降式収納棚      ３  格納ボックス      ５  開口
７、３３  可動棚      ９、５９  平行リンク機構      
１１、１３、５１、５３  アーム      １５、１７  軸
２１、３５  延設収納部      ４７  アクチュエータ
４５  駆動軸      ４９  軸      １２、５２  連結部材
【図１】
2008194104.tif 000003
【図２】
2008194104.tif 000004
【図３】
2008194104.tif 000005
【図４】
2008194104.tif 000006
【図５】
2008194104.tif 000007
【図６】
2008194104.tif 000008
【図７】
2008194104.tif 000009